(57)【要約】      （修正有）【課題】会員制無店舗連鎖販売の組織を構築して会員の組織的共同事業の成功を平等に共有し、富の再分配を促進して会員制無店舗連鎖販売の市民権を拡大し、これが確固たる流通形態として国際的に根を下ろすこと、そのために最適分配の数学的合理的装置、流通インフラの構築の確固たる方法、国際的な有機的拡大の方法を提供する。【解決手段】会員制無店舗連鎖販売のシステムで、第一にバイナリーシステムプランの掃き出し率の最適化の数学的根拠を示す。第二にこのシステムプランの効果的で速やかなインフラの構築の新手法であるツーバイワンナリープラン、第三に組織拡大する方法として、新たにゴッドラインプランと名付ける組織構築方法を公開する。さらにこれらを組み合わせることにより合成効果を発揮させる。さらにバイナリーシステムプランを電算機にプログラム化してTWO−HARMONYというソフトを提供する。【選択図】図１
2013047959.tif 000002
【特許請求の範囲】
【請求項１】
会員制無店舗連鎖販売組織においてバイナリーシステムプランが合理的流通販売装置であることを証明することを特徴とするツー・ハーモニー。
【請求項２】
バイナリーシステムプランにおける紹介販売による商品流通で統括会社と会員の分配率（以下これを統括会社の掃き出し率と称する）を組織の拡大段数を変数とする関数として示すことを特徴とする請求項１記載のツー・ハーモニー。
【請求項３】
前項の関数を駆使していくつかのシミュレーションを行い、計画的健全な運営の指針を示すことを特徴とする請求項２記載のツー・ハーモニー。
【請求項４】
会員制無店舗連鎖販売方法の決定的カギとなる流通のインフラを構築するツーバイワンナリープランを示すことを特徴とするツー・ハーモニー。
【請求項５】
ツーバイワンナリープランが確実で速やかな流通インフラであることを示すことを特徴とする請求項４記載のツー・ハーモニー。
【請求項６】
１国を拠点としてのバイナリーシステムプランによる会員制無店舗連鎖販売の組織を国際的に拡大していく新たな方式であるゴッドラインプランを有することを特徴とするツー・ハーモニー。
【請求項７】
ツーバイワンナリープラン、ゴッドラインプランを適用してバイナリーシステムプランに基づく商品流通の国際的な展開の方法を示すことを特徴とする請求項１〜６のいずれか１項に記載のツー・ハーモニー。
【発明の詳細な説明】
【技術分野】
【０００１】
会員制無店舗連鎖販売に関するものである。
【背景技術】
【０００２】
会員制無店舗販売においては、販売又は紹介には締め切りがあるのが一般的である。会員は締め切り日までに報酬のもとになる多くの消費者を獲得する必要に迫られる。またそのために商品の過剰な在庫をかかえ、あるいは重いノルマを背負う境遇に陥るのが実態である。
これは一般の営業能力の有る無しに関係なくシステム上の負の課題である。さらに締め切り日のない既存のバイナリーシステムにおいても、掃き出し率の数学的根拠が無いため、掃き出し率が制御できなくなっている。そのため会員制無店舗連鎖販売の信用低下に陥っている現状がある。
【先行技術文献】
【特許文献】
【０００３】
【特許文献１】特開２００８−９０８０４号公報
【発明の概要】
【発明が解決しようとする課題】
【０００４】
この発明は会員制無店舗連鎖販売におけるバイナリーシステムプランの数学的根拠に関する。
【０００５】
会員Ａが他の消費者に商品を販売し、または紹介して会社と契約する。そして販売が成立したときＡは紹介販売実績に対する一定の契約に応じた報酬を得る会員制販売システムを対象とする。これは一般的にＭＬＭマーケッティングとして広く普及している。  
【０００６】
無店舗販売であるから、確実で速やかな流通インフラの構築が必要である。
【０００７】
外国への販売網の拡大のための双方の会員がつながって市場拡大の恩恵を受けるような装置が必要である。
【０００８】
この販売システムが解決すべき問題を挙げ、その解決のプランの骨子を示す。まず会員を獲得する実績は営業経験や人脈などの個人的要素に多く依存することはやむをえない。しかしこの個人的伝達力を商品流通の有効なエネルギーとして、増幅させて組み込むシステムを設計しなければならない。そして「弱者」といわれる人がエネルギーを増幅するようにそのシステムに組み込まれて、富の分配にあずかる組織作りの設計図を示す。一部の力のある人と多数のそうでない人を必然的に発生させるように設計されねば成り立たない多くのＭＬＭの根本的な欠陥を克服する課題がある。
【０００９】
次に会員制無店舗販売においては販売または紹介には締め切りがあるのが一般的である。会員は締め日までに報酬のもとになる多くの紹介者を獲得する必要に迫られる。またそのために不要の商品の在庫を抱え、あるいは重いノルマを背負う境遇に陥るのが実態である。これは一般の営業能力のあるなしを抱えるシステム上の負の課題である。在庫なし、組織全体でプラスの相乗効果を発揮するという目標を達成しなければならない。
【００１０】
ＭＬＭの歴史の中で1990年代後半に始まり急速に普及していったバイナリー方式がある。私たちはこの初期からこの方式をとる会社が氾濫していく中で、重要な不安と疑問、つまりは掃き出し率の制御を解決するよう依頼されていた。そのうちの数社にはアドバイスしてきた。それはバイナリー方式の成功の客観的根拠である。このたびその根拠を初めて公開してバイナリーシステムを採用している会員制無店舗連鎖販売の組織を拡大発展することに寄与することを決意した。
【００１１】
一人が二人を紹介していくこのバイナリー方式に対して、3人以上の紹介を優先している会員販売組織が数多くあるが、これはやはり紹介の負荷が強く、結果としてこれに成功する会員はごく少数に限られ多くの犠牲が避けられない。主催会社は報酬額の絶えざる変更を余儀なくされ会員に不安を与えてきた。これらを克服してバイナリーシステムはその点では会員制無店舗販売の先頭を走るものであり、この確固たる流通システムとして証明することの意義は大きい。
【課題を解決するための手段】
【００１２】
会員制無店舗連鎖販売のシステムで、第一にバイナリーシステムプランの掃き出し率の最適化の数学的根拠を示す。第二にこのシステムプランの効果的で速やかなインフラの構築の新手法であるツーバイワンナリープラン、第三に外国へこのシステムプランを移すのではなく、これを有機的に組織拡大する方法として、新たにゴッドラインプランと名付ける組織構築方法を公開する。さらにこれらを組み合わせることにより合成効果を発揮させる。
さらにバイナリーシステムプランを電算機にプログラム化してTWO−HARMONYというソフトを提供する。
【発明の効果】
【００１３】
在庫なし締め切り日なしノルマなしで組織全体でプラスの相互効果を発揮し、そのために最適分配の数学的合理的装置、流通インフラの構築の確固たる方法を今回初めて確立し、国際的に有機的な拡大を達成する。結局、会員の組織的共同事業の成功を平等に共有し、富の再分配を促進して会員制無店舗連鎖販売の市民権を拡大する。
【図面の簡単な説明】
【００１４】
【図１】バイナリーシステムの掃き出し率の関連図
【図２】バイナリーシステムの掃き出し率のシミュレーションの関連図
【図３】ツーバイワンナリープランの関連図
【発明を実施するための形態】
【００１５】
生産者と消費者とを消費者自身が流通を担うというダイレクトセリング、会員制無店舗連鎖販売方式で流通を請け負う生産者とともに利益を適性配分して富の再配分を促進し、需給の均衡を達成すること、人々の幸福度を極大にしていくという究極の目的のために貢献するプランを考案した。以下具体的にそのプランを示す。
【００１６】
バイナリーシステムは消費者が流通を担って、消費者が流通実績に応じた適切な報酬を得て生産者と消費者が富の最適な配分を達成し、需要供給の均衡を果たす。これは社会の「最適な幸福の実現」を目指す一つの流通形態である。
【００１７】
バイナリーシステムでは各1ポジションに対して2個のポジションが下に配置される。このように次々とポジショニングされて、すなわち2,4,8,....２ｎ−１個のポジションが配置され、始点ポジションの下に合計２ｎ−２個からなるグループができる。これらの集合からなるインフラのバイナリー構造が構築される。
【００１８】
各会員は自己を始点とするバイナリーインフラである組織における商品の再購入すなわちリピートの状況に対して定められた規則に従って報酬が得られる。とりあえずこの報酬をリピートボーナスと名付けよう。わかりやすく一例を挙げる。その傘下の組織の左３個、右3個のリピートを単位として1ユニットとして計算期間中に一定金額5,000円を支払われるとする。これをユニットボーナスと呼ぶことにする。期間中に左13、右14のリピートがあれば、4ユニットで5,000円×4＝20,000円の期間ユニットボーナスとなる。この場合翌月左1、右2を繰越カウントすることもある。また12：12の場合と12：35などの場合の比較してみよう。このとき少ない方に合わせて4ユニットとするのが初期には支配的であった。しかしこの片伸び対策として多い方が他方の2倍以上である場合は少ない方の1.5倍まで認める、すなわち4×1.5＝6ユニットのボーナス権利を与えること、こういう対策もある。そのほか少ない方のボリュームに5〜20％のプレミアムを与えて片伸び対策とする方法もかなり早くから実行されているが、これは十分評価できる。
【００１９】
バイナリー流通網がｎ段まできれいに展開した場合のボーナス掃き出し率の一般式を導く。組織全員が各ポジションでリピートしているとする。こういう条件で統括会社の会員への報酬の掃き出し率を表す関数を示す。
ここでこのバイナリーにおいて各自のボーナス受け取りの最高額という制限が必要である（これにより制限段数が決まる）。その最高額をM円とし、そのとき始点となる自分の下から数えてs段が制限段数となる。ｍ＝ｎ−ｓとする。
あるポジションの人を始点としてそのポジションから数えてm段目までの人はM円を得るのだが、そのM円受け取るポジションの総数は
【数１】
2013047959.tif 000003
である。（図1）
この受け取り総額はＶ＝（２ｍ−１）ｘＭ＝Ｍｘ２ｍ−Ｍ  である。  
【００２０】
また上から数えてm＋1段目の人から下の段の人は最高額に達しない。そのｍ＋1番目の人のグループ傘下の人のボーナス合計金額は一定でこれをR円とする。［図１］
m+1番目は２ｍ個のポジションがあるからこの段から下の人のボーナス総額をＵとして、Ｕ＝Ｒｘ２ｍである。したがって組織全体のトップのポジションからｎ段までのボーナス総額はＶ＋Ｕ=（Ｍ＋Ｒ）ｘ２ｍ−Ｍである。商品単価をA円として商品流通総額は
【数２】
2013047959.tif 000004
であるから掃き出しし率を示す関数は
【数３】
2013047959.tif 000005
この関数式が商品の統括会社と会員との最適の分配を決定する合理的根拠を与える。変数Ｍ，Ｌを決めて会社が無理なくしかも会員の利益を極大に保障するプランの基礎となる。
【００２１】
具体的な例示 [表1]（2×ｈなどを2hと略記する）
【表１】
2013047959.tif 000006
まず左右4個ずつ商品リピートされるとｈ円のユニットボーナスが払われる、次いで左右３個ずつ商品が流通するとｈ円、さらに3個ずつでｈ円ずつ追加ボーナスが支払われて始めから累積50個になるまで続き累積で8h円支給される。この8ユニットを１サイクルと称することにする。1サイクルを達成すると再び表の初めの4個4個からの順に8回続けて２サイクルがはじまる。以下同様。
1か月の最高限度額を30サイクル＝8h×30＝240h（円）としよう。50×30＝1500であるから
【数４】
2013047959.tif 000007
を満たす最大の整数ｓ＝１０である。(自己から初めてｎ段までの組織の自己を除く
（２ｎ−２） 個の合計ポジションから自己のボーナス額が決まる。)
【００２２】
このときn−10段以上のポジションの人はMAX 240h（円）を受け取る。（端数は繰越となる）(n−10)+1段以下の人は240h（円）未満のボーナスを受け取る。この場合は端数は繰り越さず期間内支払いとなる。n−10+1=n−9段以下については２ｎ−１０グループに分けてn−9段目の人を頂点とするグループのボーナスの総和を計算することができる。これをR円とする。（図２）
【００２３】
前項に続きR（円）を算出する。表１で定義される１サイクルを8ｈ（円）、最高限度額が３０サイクルから240h（円）である限りｎに関係なくRが決まる。
【表２】
2013047959.tif 000008
V:左右合計ボリューム（自分の傘下のリピート実行者ポジションの左右の合計）これは
自分も含めてｎ段まで組織ができている時は２ｎ−２で与えられる。
S:サイクル数＝V÷50の整数部分  U:ユニット数＝左の余りを（表１）を参照した値
N:各段位に存在しているポジション数  
たとえば（ｍ＋3）位の人のボリュームは254  254÷50＝5余り４であるから５サイクル
0ユニットである。（表1）
サイクル合計＝N×Sの合計＝92（サイクル）、1サイクルは 8hよって92×8×ｈ＝736h
ユニット合計＝N×Uの合計＝309、したがって309ｈ  これら2項目を合計して
R=736h＋309ｈ＝1045ｈ（円）となる。
【００２４】
[0023]で求めたＲ＝1045ｈを用いて商品単価Ａ円、入会金B円として掃き出し率f(n)を計算すると、
【数５】
2013047959.tif 000009
【００２５】
具体的な数値決定シミュレーション1
前例の場合商品単価10,000円、入会金3,000円、ボーナス単位h＝5,000円
これらを［数５］に代入して
n=15すなわち32,700人余の場合、掃き出し率は54.2％
n=20 すなわち1,048,000人余の場合は、掃き出し率は54.6％である。
かなり余裕がある。
【００２６】
具体的な数値決定によるシミュレーション２
【表３】
2013047959.tif 000010
（表3）は（表１）で第一列も含めてすべて右、左個数を全て（３，３）としてこれが
8回までとして再計算してみる。ｓ＝10は、MAXも8h×30=240hは同じとして、
( 48×30=1440であるから、（２ｎ−２）／１４４８＜１
である最大の整数は10、すなわちｓ＝10)
この場合はR=1252ｘｈとなる。そうして掃き出し率を計算すると
n=15,すなわち32,700人余で63.0%
n=20,すなわち1.048,000人余で63.4%である。
このように統括会社は関数を利用して最適な報酬プログラムを立てることができる。
簡単な計算により、リピートボーナスに加えて魅力的な報酬項目を追加できる。
【００２７】
具体的な数値決定によるシミュレーション３
【表４】
2013047959.tif 000011
【００２８】
(表１)で第一列を（1：1）としてシミュレーションしてみる。
この場合も1サイクルを8ユニットとしてMAX は8h×30＝240h、s=10である。
(44×30＝1320であるから、（２ｎ−２）／１３２０＜１である最大の整数nは10、つまりｓ=10 )
（表3）を基礎にしてRを算出して、R=1652,
（数３）でR=1652として
【数６】
2013047959.tif 000012
である。
（数６）においてｎ＝15、32,700人余のときA＝10,000円、B=3,000 円
ｈ＝5,000円として  掃き出し率は80.0%である。
ｎ＝20、つまり1,408,000人余のときは80.3%である。
【００２９】
ツーバイワンナリーシステムという方式で流通インフラを速やかに構築する。
【００３０】
ツーバイワンナリシステムとは各既成会員が紹介した会員を一列にポジショニングしていく、このインフラを左右2系列構築すること。
【００３１】
会員Ａが新規にＢC,D,E,Fの5人を入会させた場合、BはAの左、CはAの右のライン上にポジショニングされる。そしてDはBの左ライン上に、EはCの左ライン上に、FはDの左ライン上にそれぞれポジショニングされる。次に会員Ｂが新規にG,Hを入会させた場合、GはBの左最先端に、HはBの右ライン上にポジショニングされる。そして会員Cが新規にIを入会させた場合Cの左最先端にポジショニングされる。以下同様である。（図3）
【００３２】
このようにしてツーバイワンナリーシステムは結果的に全体的にはバイナリーシステムを構築する。こうして流通市場としてのインフラが発展的に拡大する。
【００３３】
ツーバイワンナリーシステムはまず会員一人紹介する毎に紹介手数料を得る。次に紹介の如何にかかわらず各自の左右ライン上で左に１、右に１それぞれ会員が参加する毎につまり各レベル（１：１）のとき一定の報酬が発生する。これがレベルボーナスである。紹介料とレベルボーナスは仮払いとして即日または翌日払いにすることが望ましい。こうして速やかなインフラ構築の必要条件の一つが満たされる。（図３）
【００３４】
ゴッドラインプランとはある国（仮にＡ国として）で1国内の組織が構築されたときに新たに外国（この場合Y国とする）に市場拡大するときにＹ国の厳選された数人をすでに構築されているＡ国のトップポジションの上に順次一列に登録するのである。このポジションからはツーバイワンナリーシステムにより紹介は左、右とポジショニングされる。左には既存のＡ国のどこかの最先端にポジショニングされる。こうして混合した系列のインフラ形成は新規参入のＹ国の流通を速やかに構築し且つ促進する。さらに既存のＡ国の販路にＹ国の新規参入し、その結果流通インフラの拡大となる。こうして商品流通の国際的インフラの拡大となり、これを第１、第2と次々に適用してグローバルな市場を実現する。そしてＡ国内という限界を超える。
【００３５】
以上の3つのシステムの合成プランすなわちツーバイワンナリーシステム、バイナリーシステム、ゴッドラインプランの３つを同時に組み合わせて統合プランとして広大なインフラを形成し、貧富の差を解消する豊かな国際社会を実現する。
【図１】
2013047959.tif 000013
【図２】
2013047959.tif 000014
【図３】
2013047959.tif 000015